(57)【要約】【課題】種々の計測器のデータ収集を容易に行うことができるデータ収集システム及びデータ収集方法を提供する。【解決手段】各計測器１には予めそのＲＦＩＤ５に当該計測器１の種類や設置場所、登録通し番号などの識別コードのほか、目盛３の最小目盛線３ｂ及び最大目盛線３ａのそれぞれの状態量（例えば流量）と、目盛１ピッチ分の状態量などのデータが書き込まれている。巡視員Ｐが情報収集器１０を持って現場を巡回し、目的とする１つの計測器１の前に来たら、立ち止まってその計測値指示部２を撮影する。これにより、カメラ１１の撮影情報と、ＲＦＩＤリーダ１２の読み取りデータとが計測値演算回路１３に入力され、計測値が演算される。リーダ１２にて読み取った計測器１の識別コード、計測値及び時刻データがメモリ１４に記憶される。【選択図】図１
2008224376.tif 000002
【特許請求の範囲】
【請求項１】
計測データを指示する計測値指示部を備えた計測器と、
該計測値指示部を撮影する撮影手段、該撮影手段の撮影情報に基いて該計測器の計測値を演算する演算手段及び演算した計測値を記憶する記憶手段を備えた可搬式の情報収集器と
を有するデータ収集システムであって、
該計測器又はその近傍に設置され、少なくとも該計測器の識別コードを含むコードを記憶したコード記憶器と、
該情報収集器に設けられ、該コード記憶器に記憶されたコードを読み取るコード読み取り手段と、
を備え、
前記演算手段は、該読み取り手段で読み取った該コードに基いて撮影情報を処理して計測値を演算するものであり、
前記記憶手段は、さらに、撮影時刻と、該識別コードを記憶するものであることを特徴とするデータ収集システム。
【請求項２】
請求項１において、前記計測値指示部は、目盛と、該目盛に沿って動く計測値指示体とを備え、
前記コード記憶器が記憶したコードは、さらに、計測器の種類コード、及び、目盛と計測値と前記計測値指示体との関係を示す関係表示コードを含み、
前記演算手段は、前記撮影手段の撮影情報を該種類コード及び関係表示コードに基いて処理することを特徴とするデータ収集システム。
【請求項３】
請求項１又は２において、前記コード記憶器は、ＲＦＩＤタグであることを特徴とするデータ収集システム。
【請求項４】
請求項１ないし３のいずれか１項のデータ収集システムを使用するデータ収集方法。
【発明の詳細な説明】
【技術分野】
【０００１】
本発明は、データ収集システム及びデータ収集方法に係り、特に、プラント設備等において、水、電気及びガスなどの計測設備のデータを収集するのに好適なデータ収集システム及びデータ収集方法に関する。
【背景技術】
【０００２】
Ｉ．  従来、各種プラント設備等に用いられる計測器として、計測結果を目盛と計測指示体で指し示す機械式計測器と、計測結果を電気信号に変換し、ディスプレイ等に表示させて計測値を読み取る電気式計測器とがある。
【０００３】
特開２００６−１１９９１０号公報には、電気計器（電気式計測器）に配設されたデータ送受信装置と、巡視者が携行するデータ収集端末器との間で計測データを送受信するシステムが開示されている。
【０００４】
同号公報で用いられる設備巡視データ収集システムは、巡視者が携行するようにしたＲＦＩＤタグ及びデータ収集端末器と、プラント設備の電気計器に配設し固有ＩＤの認証を行う認証コントローラ及び電気計器の計測データを送受信する計測データ送受信装置とから構成している。電気計器の前でＲＦＩＤにより巡視者を特定した後、巡視者が持参したデータ収集端末器に自動的にデータが伝送、記録されるようにしている。
II．本出願人は、ロータ式浮子などの指示体及びそのための目盛を撮影し、指示体位置から流量を自動的に計測する計測器自動読取装置を特開２００６−８４４１８号公報にて提案している。
【特許文献１】特開２００６−１１９９１０号公報
【特許文献２】特開２００６−８４４１８号公報
【発明の開示】
【発明が解決しようとする課題】
【０００５】
特開２００６−１１９９１０号公報の設備巡視データ収集システムは、電気計器に計測データ送受信装置を設けることが必須であり、機械式計測器を備えるプラント設備に同号公報のシステムを導入する場合、上記送受信装置を新設することが必要となり、設備費が高いものとなる。
【０００６】
上記特開２００６−８４４１８号では、計測器が異なると、当該計測器についての基礎的情報を個別に入力し直す必要がある。
【０００７】
本発明は、上記問題点を解消し、種々の計測器のデータ収集を容易に行うことができるデータ収集システム及びデータ収集方法を提供することを目的とする。
【課題を解決するための手段】
【０００８】
請求項１のデータ収集システムは、計測データを指示する計測値指示部を備えた計測器と、該計測値指示部を撮影する撮影手段、該撮影手段の撮影情報に基いて該計測器の計測値を演算する演算手段及び演算した計測値を記憶する記憶手段を備えた可搬式の情報収集器とを有するデータ収集システムであって、該計測器又はその近傍に設置され、少なくとも該計測器の識別コードを含むコードを記憶したコード記憶器と、該情報収集器に設けられ、該コード記憶器に記憶されたコードを読み取るコード読み取り手段と、を備え、前記演算手段は、該読み取り手段で読み取った該コードに基いて撮影情報を処理して計測値を演算するものであり、前記記憶手段は、さらに、撮影時刻と、該識別コードを記憶するものであることを特徴とするものである。
【０００９】
請求項２のデータ収集システムは、請求項１において、前記計測値指示部は、目盛と、該目盛に沿って動く計測値指示体とを備え、前記コード記憶器が記憶したコードは、さらに、計測器の種類コード、及び目盛と計測値と前記計測値指示体との関係を示す関係表示コードを含み、前記演算手段は、前記撮影手段の撮影情報を該種類コード及び関係表示コードに基いて処理することを特徴とするものである。
【００１０】
請求項３のデータ収集システムは、請求項１又は２において、前記コード記憶器は、ＲＦＩＤタグであることを特徴とするものである。
【００１１】
請求項４のデータ収集方法は、請求項１ないし３のいずれか１項のデータ収集システムを使用するものである。
【発明の効果】
【００１２】
本発明では、例えば巡視員が情報収集器を持ってプラント等の現場を巡回し、計測器の前で立ち止まってその計測値指示部を撮影する。この際、情報収集器に設けられたコード読み取り手段が計測器側のコード記憶器のコードを読み取る。このコードに基いて撮影情報を処理し、計測値を演算する。この計測値は、撮影時刻、及び、撮影した計測器の識別コードと共に、情報収集器の記憶手段に記憶される。
【００１３】
従って、巡視員は情報収集器を持って現場を回り、各計測器の前で立ち止まってその計測値指示部を撮影する作業を行うだけでよい。計測値は情報収集器内で自動的に演算され、記憶される。巡視員は、情報収集器を管理センター等に持ち帰り、記憶データをホストコンピュータ等に移すことにより、データ収集作業は終了する。
【００１４】
請求項２のデータ収集システムによれば、フローメータなどの計測値指示体の位置と目盛とから計測値が自動的に演算される。
【００１５】
請求項３の通り、上記のコード記憶器としては、ＲＦＩＤ（Radio  Frequency  Identification）タグが好適である。
【発明を実施するための最良の形態】
【００１６】
以下、図面を参照して実施の形態について説明する。
【００１７】
第１図は実施の形態に係るデータ収集システムを示す模式的な斜視図、第２図は情報収集器のブロック図、第３図は計測器の計測値指示部の正面図である。
【００１８】
このデータ収集システムは、計測器１と、この計測器１を撮影する可搬式の情報収集器１０とを備えている。計測器１はプラント等の現場に据え付けられたものであり、種々多様な型式のものが多数設置されている。計測器１としては、流量計、圧力計、温度計、水位計などが例示されるが、これに限定されない。
【００１９】
計測器１は、計測値指示部２と、この計測値指示部２に設けられた目盛３と、この目盛３に沿って動く指示体４とを備えている。この実施の形態では指示体４は、可動式の指針よりなり、目盛３は等半径位上に所定間隔で目盛られているが、フローメータのように、直線上に目盛が設けられ、指示体が直線状に移動するタイプのものであってもよい。
【００２０】
計測器１には、ＲＦＩＤタグ５が設けられ、当該計測器１の種類や設置場所、登録通し番号などの識別コードのほか、目盛３の最小目盛線３ｂ及び最大目盛線３ａのそれぞれの状態量（例えば流量）と、目盛１ピッチ分の状態量などのデータが書き込まれている。このＲＦＩＤへのデータ書き込みは、後述の情報収集器１のＲＦＩＤリーダによって行われる。
【００２１】
なお、ＲＦＩＤタグ５は、計測器１の内部に配置されてもよく、外部の近傍箇所に設けられてもよい。
【００２２】
情報収集器１０には、計測値指示部２を撮影するためのＣＣＤカメラ等のカメラ１１と、ＲＦＩＤタグ５からデータを読み出すためのＲＦＩＤリーダ１２と、計測値を演算するための演算手段としての演算回路１３と、時刻を計時するためのクロック１５と、データの記憶手段としてのメモリ１４と、撮影開始操作用の撮影スイッチ１６等が搭載されている。
【００２３】
このＲＦＩＤリーダ１２はＲＦＩＤライタとしての機能も有している。ＲＦＩＤリーダ（ライタ）１２は、情報通信用のアンテナを有し、このアンテナを介して、通信対象となるＲＦＩＤタグ５と通信する。ＲＦＩＤタグ５としては、パッシブ型のＲＦＩＤタグが用いられている。パッシブ型のＲＦＩＤタグは、電池を内蔵せず、ＲＦＩＤタグ自身のアンテナを介して、リーダ（ライタ）１２からのキャリア信号を受信し、このキャリア信号から電力供給を受ける。
【００２４】
次に、このデータ収集システムによる情報収集方法について説明する。なお、各計測器１には予めそのＲＦＩＤタグ５に、当該計測器１の種類や設置場所、登録通し番号などの識別コードのほか、目盛３の最小目盛線３ｂ及び最大目盛線３ａのそれぞれの状態量（例えば流量）と、目盛１ピッチ分の状態量などのデータが書き込まれている。
【００２５】
巡視員Ｐが情報収集器１０を持って現場を巡回し、目的とする１つの計測器１の前に来たら、立ち止まってその計測値指示部２を撮影すべく、撮影スイッチ１６を押す。これにより、カメラ１１が計測値指示部２を撮影すると共に、ＲＦＩＤリーダ１２がＲＦＩＤタグ５のデータを読み取る。
【００２６】
カメラ１１の撮影情報と、リーダ１２の読み取りデータとが計測値演算回路１３に入力され、計測値が演算される。
【００２７】
この実施の形態では、カメラ１１の撮像が画像解析され、指示体１４が指す目盛位置が特定される。また、リーダ１２で読み取ったデータのうち、最小目盛線３ｂ、最大目盛線３ａ及び目盛１ピッチ分の各状態量（例えば流量）を示す各データが計測値演算回路１３に入力され、このリーダ１２からのデータと上記目盛位置データとから撮影時点での計測値が演算される。演算された計測値は、メモリ１４に入力され、記憶される。なお、リーダ１２にて読み取った計測器１の識別コードに含まれる計測器１の種類、設置場所、登録通し番号などのデータも併せてメモリ１４に記憶される。メモリ１４への記憶型式としては、各データをカンマで区切ってファイルに記憶させる方法などを利用できる。
【００２８】
また、撮影スイッチを押すと、クロック１５が現在時刻データを出力し、この時刻データも併せてメモリ１４に記憶される。
【００２９】
巡視員Ｐは、各計測器を順番に巡回し、各計測器の前で立ち止まって、その計測値指示部２を撮影する。巡回途中での巡視員の作業は、各計測器１を巡回し、その前で撮影スイッチ１６を押して撮影を行うだけでよい。撮影スイッチ１６を押すたびに、上記の計測値演算及び諸データのメモリ１４への蓄積が行われる。
【００３０】
必要な全ての計測器について巡回し撮影を終えた巡視員Ｐは、管理センターに戻り、情報収集器１をホストコンピュータと接続し、メモリ１４に記憶したデータをホストコンピュータのメモリに移す。
【００３１】
定期的に上記作業を行うことにより、ホストコンピュータには各計測器１の計測値が蓄積される。なお、ホストコンピュータに、オンラインで収集したデータを併せて蓄積させ、プラント等の設備の診断、管理、制御などを行うようにしてもよい。
【００３２】
この実施の形態では、巡視員が巡回して計測器を撮影するという簡単な操作を行うだけで各計測演算の計測値を簡単に収集し、蓄積することができる。
【００３３】
上記実施の形態は本発明の一例である。本発明は図示以外の形態をもとりうる。例えば、情報収集器１０は一体型でなくてもよく、例えば、ＵＳＢ接続やＥｔｈｅｒｎｅｔ接続などによって、ＲＦＩＤリーダとカメラ１１を含む本体側とが接続されたものであってもよい。
【００３４】
また、上記実施の形態では、計測値指示部は目盛３に沿って動く指示体４を有したものとなっているが、積算ガス流量計などのように、積算流量などの計測値を数字で示すようにしたものであってもよい。
【００３５】
さらに、複数の計測器が隣接して設置されている場合、一枚のＲＦＩＤに少なくとも該複数の計測器の識別コードと画像上の位置情報とを記憶させておき、一回の操作（撮影スイッチ押下）で、複数の計測器の識別コード認識および画像解析によるデータ読み取りを行うようにしてもよい。
この場合、ＲＦＩＤには計測場所識別コードのみを記憶させておき、計測場所識別コードと、複数の計測器の識別コードおよび画像上の位置情報とを情報収集器内部の記憶手段（ハードディスクやメモリなど）に記憶させておき、ＲＦＩＤに記憶されている計測場所識別コードから計測器の識別コードや位置情報を把握、演算するようにしてもよい。
【図面の簡単な説明】
【００３６】
【図１】実施の形態に係るデータ収集システムを示す模式的な斜視図である。
【図２】情報収集器のブロック図である。
【図３】計測器の計測値指示部の正面図である。
【符号の説明】
【００３７】
１  計測器
２  計測値指示部
３  目盛
４  指示体
５  ＲＦＩＤタグ
１０  情報収集器
１１  カメラ
１２  ＲＦＩＤリーダ
１３  計測値演算回路
１４  メモリ
【図１】
2008224376.tif 000003
【図２】
2008224376.tif 000004
【図３】
2008224376.tif 000005